(57)【要約】      （修正有）【課題】注油後にその注油が行なわれたか否かを確認する際、当該確認を正確かつ確実に行なうことができる時計用部品、かかる時計用部品を備えるムーブメント、および、かかる時計用部品を備える時計を提供する。【解決手段】時計用部品２は、油ＯＬが注入される油注入部５と、油注入部５の周囲に設けられ、油ＯＬが油注入部５に注入されたときに油ＯＬの一部を保持する油保持部６とを有する。なお、油保持部６に保持された油ＯＬは、油注入部５に油ＯＬが注入された痕跡として用いられるのが好ましい。また、油保持部６は、凹部を有するのが好ましい。【選択図】図４
2017181176.tif 000002
【特許請求の範囲】
【請求項１】
油が注入される油注入部と、
前記油注入部の周囲に設けられ、前記油が前記油注入部に注入されたときに前記油の一部を保持する油保持部とを有することを特徴とする時計用部品。
【請求項２】
前記油保持部に保持された前記油は、前記油注入部に前記油が注入された痕跡として用いられる請求項１に記載の時計用部品。
【請求項３】
前記油保持部は、凹部を有する請求項１または２に記載の時計用部品。
【請求項４】
前記油注入部は、貫通孔を有し、
前記凹部は、前記貫通孔に連通し、前記貫通孔よりも浅く形成されている請求項３に記載の時計用部品。
【請求項５】
前記凹部は、前記貫通孔から延びる溝で構成されている請求項４に記載の時計用部品。
【請求項６】
前記油注入部は、貫通孔を有し、
前記凹部は、前記貫通孔と連通せず、前記貫通孔よりも浅く形成されている請求項３に記載の時計用部品。
【請求項７】
前記凹部は、前記貫通孔と中心が同じ環状に形成されている請求項６に記載の時計用部品。
【請求項８】
前記油注入部は、突出形成された突出部を有し、
前記凹部は、前記突出部の外周部に形成されている請求項１ないし３のいずれか１項に記載の時計用部品。
【請求項９】
前記油保持部は、粗面で構成された粗面部を有する請求項１ないし７のいずれか１項に記載の時計用部品。
【請求項１０】
前記油は、蛍光材料が含有されたものである請求項１ないし９のいずれか１項に記載の時計用部品。
【請求項１１】
当該時計用部品は、クリックばね、クリックばねを回動可能に支持する地板、輪列受のうちのいずれかである請求項１ないし１０のいずれか１項に記載の時計用部品。
【請求項１２】
請求項１ないし１１のいずれか１項に記載の時計用部品を備えることを特徴とするムーブメント。
【請求項１３】
請求項１ないし１１のいずれか１項に記載の時計用部品を備えることを特徴とする時計。
【発明の詳細な説明】
【技術分野】
【０００１】
本発明は、時計用部品、ムーブメントおよび時計に関する。
【背景技術】
【０００２】
腕時計等の時計を製造する時計製造工程では、ホゾや歯車等の微小な時計用部品に対して、潤滑性および耐摩耗性を付与するために、微量の油が注油される。そして、この注油後に当該注油が行なわれたか否かを確認する検査工程がある。検査工程では、まず、時計用部品に対して注油された範囲を撮像する。次いで、撮像された画像に基づいて油の状態を認識して、注油が行なわれたか否かを判断していた（例えば、特許文献１参照）。
【０００３】
しかしながら、注油しても、油は、部品同士間の隙間に毛細管現象によって吸い込まれてしまい、検査工程での画像には映らない場合があった。この場合、注油が行なわれたか否かの判断結果は、「否」となってしまうという問題があった。
【先行技術文献】
【特許文献】
【０００４】
【特許文献１】特開２０１３−２４２２２４号公報
【発明の概要】
【発明が解決しようとする課題】
【０００５】
本発明の目的は、注油後にその注油が行なわれたか否かを確認する際、当該確認を正確かつ確実に行なうことができる時計用部品、かかる時計用部品を備えるムーブメント、および、かかる時計用部品を備える時計を提供することにある。
【課題を解決するための手段】
【０００６】
このような目的は、下記の本発明により達成される。
本発明の時計用部品は、油が注入される油注入部と、
前記油注入部の周囲に設けられ、前記油が前記油注入部に注入されたときに前記油の一部を保持する油保持部とを有することを特徴とする。
【０００７】
これにより、例えば注油後にその注油が行なわれたか否かを確認する作業を行なう作業者が、油保持部に保持された油を視認することができれば、油注入部への注油が行なわれたという確認を正確かつ確実に行なうことができる。
【０００８】
本発明の時計用部品では、前記油保持部に保持された前記油は、前記油注入部に前記油が注入された痕跡として用いられることが好ましい。
【０００９】
これにより、例えば注油後にその注油が行なわれたか否かを確認する作業を行なう作業者が、この痕跡を視認することができれば、油注入部への注油が行なわれたという確認を正確かつ確実に行なうことができる。
【００１０】
本発明の時計用部品では、前記油保持部は、凹部を有することが好ましい。
これにより、油を安定して確実に保持することができる。
【００１１】
本発明の時計用部品では、前記油注入部は、貫通孔を有し、
前記凹部は、前記貫通孔に連通し、前記貫通孔よりも浅く形成されていることが好ましい。
【００１２】
これにより、油保持部に保持された油が視認され易い位置に配されることとなり、油注入部への注油が行なわれたという確認を迅速に行なうことができる。
【００１３】
本発明の時計用部品では、前記凹部は、前記貫通孔から延びる溝で構成されていることが好ましい。
これにより、溝に毛細管現象が働き、油を確実に保持することができる。
【００１４】
本発明の時計用部品では、前記油注入部は、貫通孔を有し、前記凹部は、前記貫通孔と連通せず、前記貫通孔よりも浅く形成されていることが好ましい。
【００１５】
これにより、貫通孔に油がすべて吸い込まれることなく、確実に油を保持することができる。
【００１６】
前記凹部は、前記凹部は、前記貫通孔と中心が同じ環状に形成されていることが好ましい。
【００１７】
これにより、貫通孔の周囲に均等に油を保持することができ、容易に視認することができる。
【００１８】
本発明の時計用部品では、前記油注入部は、突出形成された突出部を有し、
前記凹部は、前記突出部の外周部に形成されているのが好ましい。
【００１９】
これにより、油注入部と油保持部とをできる限り近づけることができ、よって、油注入部に油を注入したときに、当該油の一部が迅速に油保持部に保持される。
【００２０】
本発明の時計用部品では、前記油保持部は、粗面で構成された粗面部を有するのが好ましい。
【００２１】
これにより、油の粘度にもよるが、例えば時計を製造する過程で時計用部品に振動が加えられた場合や、表面に撥油処理が施されていた場合でも、当該油が油保持部に確実に留まることができる。
【００２２】
本発明の時計用部品では、前記油は、蛍光材料が含有されたものであるのが好ましい。
これにより、油保持部で油の視認性が高まり、すなわち、油が目立つものとなり、よって、注油確認を正確かつ確実に行なうのに寄与する。
【００２３】
本発明の時計用部品では、当該時計用部品は、クリックばね、クリックばねを回動可能に支持する地板、輪列受のうちのいずれかであるのが好ましい。
【００２４】
これにより、例えば注油後にその注油が行なわれたか否かを確認する作業を行なう作業者は、クリックばね、地板、輪列受のいずれかに設けられた油保持部中の油を容易に視認することができる。
【００２５】
本発明のムーブメントは、本発明の時計用部品を備えることを特徴とする。
これにより、確実に注油され、安定して使用可能なムーブメントが得られる。
【００２６】
本発明の時計は、本発明の時計用部品を備えることを特徴とする。
これにより、確実に注油された時計を安定して使用し続けることができる。
【図面の簡単な説明】
【００２７】
【図１】図１は、本発明の時計を腕時計に適用した場合の第１実施形態を示す斜視図である。
【図２】図２は、図１中の時計が備える本発明のムーブメントの一部を裏側から見た斜視図である。
【図３】図３は、図２中の一点鎖線で囲まれた領域［Ａ］の拡大図である。
【図４】図４は、図３中のＢ−Ｂ線断面図である。
【図５】図５は、本発明の時計（第２実施形態）が備える本発明のムーブメントの一部を裏側から見た斜視図である。
【図６】図６は、図５中のＣ−Ｃ線断面図である。
【図７】図７は、本発明の時計（第３実施形態）が備える本発明のムーブメントの一部を裏側から見た斜視図である。
【図８】図８は、図７中の一点鎖線で囲まれた領域［Ｄ］の拡大図である。
【図９】図９は、図８中のＥ−Ｅ線断面図である。
【図１０】図１０は、本発明の時計（第４実施形態）が備える本発明のムーブメントの一部を裏側から見た斜視図である。
【図１１】図１１は、図１０中のＦ−Ｆ線断面図である。
【図１２】図１２は、本発明の時計（第５実施形態）が備える本発明のムーブメントの一部を裏側から見た斜視図である。
【図１３】図１３は、図１２中のＧ−Ｇ線断面図である。
【発明を実施するための形態】
【００２８】
以下、本発明の時計用部品、ムーブメントおよび時計を添付図面に示す好適な実施形態に基づいて詳細に説明する。
【００２９】
＜第１実施形態＞
図１は、本発明の時計を腕時計に適用した場合の第１実施形態を示す斜視図である。図２は、図１中の時計が備える本発明のムーブメントの一部を裏側から見た斜視図である。図３は、図２中の一点鎖線で囲まれた領域［Ａ］の拡大図である。図４は、図３中のＢ−Ｂ線断面図である。なお、以下では、説明の都合上、腕時計の時刻が表示される側（カバーガラス側）を表、腕に装着される側（裏蓋側）を裏と言う。図１の上側を「表」、下側を「裏」と言い、図４中（図６、図９、図１１および図１３についても同様）の上側を「裏」、下側を「表」と言い、図２および図３中（図５、図７、図８、図１０および図１２についても同様）の紙面奥側を「表」、紙面手前側を「裏」と言う。
【００３０】
本発明の時計用部品は、油ＯＬが注入される油注入部５と、油注入部５の周囲に設けられ、油ＯＬが油注入部５に注入されたときに油ＯＬの一部を保持する油保持部６とを有することを特徴とする。
【００３１】
なお、本発明の時計用部品は、例えばクリックばね２、クリックばね２を回動可能に支持する地板３、輪列受７のうちのいずれかに適用可能であり、本実施形態では地板３に適用されている。
【００３２】
このような本発明によれば、後述するように、例えば注油後にその注油が行なわれたか否かを確認する作業を行なう作業者が、地板３に設けられた油保持部６中の油ＯＬを視認することができる。これにより、油注入部５への注油が行なわれたという確認を正確かつ確実に行なうことができる。
【００３３】
また、本発明のムーブメント１０は、本発明の時計用部品を備えることを特徴とする。これにより、確実に注油された信頼性の高いムーブメント１０が得られる。
【００３４】
また、本発明の時計１は、本実施形態では腕時計に適用されており、本発明の時計用部品を備えることを特徴とする。これにより、確実に注油された信頼性の高い時計１が得られ、その時計１を安定して使い続けることができる。
【００３５】
以下、各部の構成について説明する。
図１に示す時計１は、胴（ケース）１１と、裏蓋１３と、カバーガラス（風防）１５と、バンド１６とを備えている。また、時計１の内部空間、すなわち、胴１１と裏蓋１３とカバーガラス１５とで囲まれた空間には、ムーブメント１０や文字板１４等が収納されている。
【００３６】
ムーブメント１０には、時針１０１、分針１０２、秒針１０３が回転可能に支持されており、ムーブメント１０とともに時計１内に収納されている。また、胴１１の外周部には、巻真９２を介してムーブメント１０に連結されたりゅうず１２が時計１の外側に引出可能に挿入されている。このりゅうず１２を１段位置に引き出すと、時計１が時刻修正モードに設定され、図示しない別途設けられたスイッチを押下操作することにより時針１０１および分針１０２の位置を調整することができる。なお、りゅうず１２を回転可能に挿入し、このりゅうず１２を１段位置に引き出し、かつ、回転操作することにより、その回転力がムーブメント１０に伝達されて、時針１０１および分針１０２の位置を調整することができるようにしてもよい。
【００３７】
図２に示すように、ムーブメント１０は、代表的な部品として、地板３と、クリックばね２と、オシドリ４と、巻真９２と、モーターコイル９３と、モーターコイル９４と、複数枚の歯車（番車）９５１で構成された歯車群９５と、電波受信用アンテナ９６とを有し、これらの部品とその他多数の部品とを組み立ててなるものである。また、ムーブメント１０は、ボタン電池１７が設置されるボタン電池設置部９１も有している。ボタン電池１７は、１次電池であってもよいし、充電可能な２次電池であってもよい。
【００３８】
地板３は、ムーブメント１０を構成するクリックばね２等の部品を支持する部材である。図３に示すように、地板３は、円盤状をなす円盤部３１と、円盤部３１から突出形成された軸３２および軸３３とを有している。
【００３９】
円盤部３１は、その外周部が胴１１の内周部に支持、固定されている。これにより、ムーブメント１０は、時計１内で安定して内蔵された状態となる。
【００４０】
軸３２は、円盤部３１から裏側に向かって円柱状に突出している。この軸３２は、クリックばね２を回動可能に支持することができる。
【００４１】
軸３３は、軸３２と異なる位置、すなわち、本実施形態では軸３２よりも円盤部３１の外周側に配置され、円盤部３１から裏側に向かって円柱状に突出している。この軸３３は、オシドリ４を回動可能に支持することができる。
【００４２】
なお、軸３２および軸３３は、円盤部３１と一体的に形成されたものであってもよいし、円盤部３１と別体で構成され、当該別体を円盤部３１に接合したものであってもよい。
【００４３】
オシドリ４は、小片で構成され、その中央部に軸３３が挿入される貫通孔４１が形成されている。これにより、オシドリ４は、軸３３回りに回動することができる。
【００４４】
また、オシドリ４の一端部には、巻真９２の長手方向の途中に形成された縮径部９２１
に係合する係合部４２が設けられている。これにより、オシドリ４は、巻真９２が長手方向に沿って移動操作された際、その移動に連動して、軸３３を中心に回動することができる。
【００４５】
オシドリ４の係合部４２と反対側の他端部には、クリックばね２と係合する係合部４３が設けられている。
【００４６】
クリックばね２は、全体として長尺な板状をなし、その長手方向の中央部に位置する基部２１と、基部２１の両側からそれぞれ延出したアーム部２２およびアーム部２３とを有している。
【００４７】
基部２１には、軸３２が挿入される貫通孔２１１が形成されている。これにより、クリックばね２は、軸３２回りに回動することができる。
【００４８】
アーム部２２には、オシドリ４に臨む部分に溝２２１、溝２２２、溝２２３が形成されている。そして、オシドリ４の係合部４３は、溝２２１、溝２２２、溝２２３のうちのいずれかと係合することができる。これにより、りゅうず１２の押込み時および引き出し時に、オシドリ４の位置を規制し、巻真９２の位置、すなわち、りゅうず１２の位置を、０段位置、１段位置、２段位置に規制するとともに、時計１の使用者にクリック感を与えることができる。なお、オシドリ４の係合部４３は、りゅうず１２が０段位置にあるときには溝２２１と係合し、りゅうず１２が１段位置にあるときには溝２２２と係合し、りゅうず１２が２段位置にあるときには溝２２３と係合する。
【００４９】
アーム部２３は、アーム部２２がオシドリ４の係合部４３に係合する方向に付勢する付勢部となっている。
【００５０】
さて、ムーブメント１０を構成する部品同士が互いに摺動し合う場合、時計１を製造する製造過程では、その摺動部に潤滑性と耐摩耗性とを付与するために油ＯＬが注油される。本実施形態では、摺動し合う部品同士として、地板３とクリックばね２とを代表的に挙げて説明する。
【００５１】
なお、油ＯＬとしては、特に限定されないが、例えば、ポリαオレフィン系（シチズン時計社製、ＡＯシリーズ）、アルキル−アリルオキシジブチレングリコール（Alkyl-Aryloxidibutylenglycoles）（MOEBIUS社製、MOEBIUS SYNT-LUBE）等が挙げられる。
【００５２】
また、油ＯＬは、蛍光材料が含有されたものであるのが好ましい。これにより、後述する油保持部６で油ＯＬの視認性が高まり、すなわち、油ＯＬが目立つものとなり、よって、注油確認を正確かつ確実に行なうのに寄与する。蛍光材料としては、蛍光染料、有機蛍光顔料、無機蛍光顔料が挙げられる。蛍光材料は、時計用部品に対して油ＯＬを注油する本来の目的が損なわれない範囲で、かつ、油ＯＬ中に均一に分散する程度に添加される。
【００５３】
注油方式としては、特に限定されないが、例えば、インクジェット式注油、オバマ式注油、注射針式注油、スタンプ式注油等が挙げられる。
【００５４】
地板３とクリックばね２との間では、地板３の軸３２と、クリックばね２の貫通孔２１１とが摺動部となっている。そして、図４に示すように、軸３２の外周面３２１と貫通孔２１１の内周面２１２との間の微小な隙間を、油ＯＬが注入される油注入部５として用いると、当該注入された油ＯＬは、毛細管現象によって吸い込まれていく。これにより、地板３とクリックばね２との間での潤滑性および耐摩耗性が向上する。
【００５５】
また、図４に示すように、軸３２の外周面３２１には、当該軸３２の中心線方向に沿った溝（凹部）３２２が１つ形成されている。この溝３２２は、油ＯＬが油注入部５に注入されたときに当該油ＯＬの一部を保持する油保持部６として機能する。なお、油保持部６の容積や形状、平面視での面積等は、例えば、油ＯＬの粘度、保持されるべき油ＯＬの保持量等の諸条件によって決定される。また、溝３２２の形成数は、本実施形態では１つであるが、これに限定されず、例えば、複数であってもよい。また、溝３２２の形状は、本実施形態では円柱の一部を構成する形状であるが、これに限定されず、例えば直方体の一部を構成する形状であってもよい。
【００５６】
そして、時計１の製造過程の途中では、油注入部５への注油後に当該注油が行なわれたか否かを確認する検査工程が行なわれる。検査工程では、油保持部６に保持された油ＯＬは、油注入部５に油ＯＬが注入された痕跡として用いられる。これにより、例えば検査工程を担当する担当作業者がこの痕跡を視認することができれば、油注入部５への注油が行なわれたという確認を正確かつ確実に行なうことができ、検査効率が向上することとなる。これとは反対に、担当作業者が、前記痕跡が不十分であると判断した場合、ムーブメント１０は、注油を行なう工程に戻される。
【００５７】
以上のようにムーブメント１０では、油注入部５は、突出形成された突出部で構成された軸３２と、軸３２が挿入される貫通孔２１１とを有し、当該油注入部５の周囲に油保持部６が設けられている。そして、油保持部６は、軸３２（突出部）の外周部に形成された溝（凹部）３２２を有する構成となっている。このような構成により、前述したように注油確認を正確かつ確実に行なうことができる。
【００５８】
また、油注入部５を介して注入された油ＯＬは、時計１を使い続けるうちに経時的に消耗していくが、その消耗分を、油保持部６に保持された油ＯＬで補うこともできる。これにより、時計１を安定して長期的に使い続けることができる。
【００５９】
＜第２実施形態＞
図５は、本発明の時計（第２実施形態）が備える本発明のムーブメントの一部を裏側、すなわちムーブメントが時計に固定された際に裏蓋側から見た斜視図である。図６は、図５中のＣ−Ｃ線断面図である。
【００６０】
以下、これらの図を参照して本発明の時計用部品、ムーブメントおよび時計の第２実施形態について説明するが、前述した実施形態との相違点を中心に説明し、同様の事項はその説明を省略する。
本実施形態は、油保持部の構成が異なること以外は前記第１実施形態と同様である。
【００６１】
前記第１実施形態でも述べたように、本発明の時計用部品は、例えばクリックばね２、クリックばね２を回動可能に支持する地板３、輪列受７のうちのいずれかに適用可能である。そして、本実施形態では、本発明の時計用部品はクリックばね２に適用されている。これにより、例えば注油後にその注油が行なわれたか否かを確認する作業を行なう作業者は、クリックばね２に設けられた油保持部６中の油ＯＬを視認することができ、よって、油注入部５への注油が行なわれたという確認を正確かつ確実に行なうことができる。
【００６２】
図５に示すように、クリックばね２の裏面２４には、油注入部５の周囲に凹部２４１が形成されている。図６に示すように、凹部２４１は、貫通孔２１１に連通し、貫通孔２１１よりも浅く形成されている。このように形成された凹部２４１は、油ＯＬが油注入部５に注入されたときに当該油ＯＬの一部を保持する油保持部６として機能する。これにより、検査工程での作業者が、油保持部６に保持された油ＯＬを視認することによって、注入確認を正確かつ確実に行なうことができる。また、前記第１実施形態の溝（凹部）３２２の平面視における面積よりも本実施形態の凹部２４１の平面視における面積の方が大きいため、本実施形態で視認される油ＯＬの面積は、前記第１実施形態で視認される油ＯＬの面積よりも大きい。これにより、油保持部６での油ＯＬの視認性が向上し、よって、検査効率の向上に寄与する。
【００６３】
なお、本実施形態においても、油保持部６の容積や形状、平面視での面積は、例えば、油ＯＬの粘度、保持されるべき油ＯＬの保持量等の諸条件によって決定される。凹部２４１の形成数は、本実施形態では１つであるが、これに限定されず、例えば、複数であってもよい。また、凹部２４１の形状は平面視で半円形であるが、これに限定されず、例えば矩形であってもよい。
【００６４】
＜第３実施形態＞
図７は、本発明の時計（第３実施形態）が備える本発明のムーブメントの一部を裏側から見た斜視図である。図８は、図７中の一点鎖線で囲まれた領域［Ｄ］の拡大図である。図９は、図８中のＥ−Ｅ線断面図である。
【００６５】
以下、これらの図を参照して本発明の時計用部品、ムーブメントおよび時計の第３実施形態について説明するが、前述した実施形態との相違点を中心に説明し、同様の事項はその説明を省略する。
【００６６】
本実施形態は、油注入部および油保持部の構成が異なること以外は前記第１実施形態と同様である。
【００６７】
前記第１実施形態でも述べたように、本発明の時計用部品は、例えばクリックばね２、クリックばね２を回動可能に支持する地板３、輪列受７のうちのいずれかに適用可能である。そして、本実施形態では、本発明の時計用部品は輪列受７に適用されている。これにより、後述するように、例えば注油後にその注油が行なわれたか否かを確認する作業を行なう作業者は、輪列受７に設けられた油保持部６中の油ＯＬを視認することができ、よって、油注入部５への注油が行なわれたという確認を正確かつ確実に行なうことができる。
【００６８】
図７に示すように、ムーブメント１０は、代表的な部品として、地板３と、輪列受７と、巻真９２と、モーターコイル９３と、複数枚の歯車９５１で構成された歯車群９５とを有し、これらの部品とその他多数の部品とを組み立ててなるものである。また、ムーブメント１０は、ボタン電池１７が設置されるボタン電池設置部９１も有している。ボタン電池１７は、第１実施形態と同様に、１次電池であってもよいし、充電可能な２次電池であってもよい。
【００６９】
輪列受７は、地板３の円盤部３１に対して固定されている。この輪列受７は、各歯車９５１を回転可能に支持したり、各歯車９５１の位置決めをしたりする時計用部品である。
【００７０】
また、図９に示すように、輪列受７の裏面７１には、凹部７２が形成されている。この凹部７２の底部７２１の中央部には、貫通孔７３が形成されており、歯車９５１の軸９５２が回動可能に支持されている。このように底部７２１は、軸受けとしての機能を有している。なお、軸受けとしての機能する部分は、本実施形態では輪列受７と一体的に形成されているが、輪列受７と別体で構成され、当該別体を輪列受７に圧入したものであってもよい。
【００７１】
輪列受７と歯車９５１との間では、輪列受７の貫通孔７３と、歯車９５１の軸９５２とが摺動部となっている。そして、図９に示すように、貫通孔７３の内周面７３１と軸９５２の外周面９５３との間の微小な隙間を、油ＯＬが注入される油注入部５として用いると、当該注入された油ＯＬは、毛細管現象によって吸い込まれていく。これにより、輪列受７と歯車９５１との間での潤滑性および耐摩耗性が向上する。
【００７２】
また、凹部７２の底部７２１には、貫通孔７３から放射状に延びる溝（凹部）７４が形成されている。各溝（凹部）７４は、貫通孔７３に連通し、貫通孔７３よりも浅く形成されている。このように形成された溝７４は、油ＯＬが油注入部５に注入されたときに当該油ＯＬの一部を保持する油保持部６として機能する。これにより、例えば注油後にその注油が行なわれたか否かを確認する作業を行なう作業者は、油保持部６中の油ＯＬを視認することができる。よって、作業者は、油注入部５への注油が行なわれたという確認を正確かつ確実に行なうことができる。また、通常、注油した油ＯＬが注油対象の表面で濡れ広がり過ぎないように撥油処理を施すが、油保持部６の形状によっては注入した油ＯＬが毛細管力によりすべて貫通孔７３に吸い込まれ、油保持部６内の油ＯＬを確認できなくなる可能性がある。しかし、油保持部６が溝７４、すなわち３面が壁で構成された管状に構成されていることにより、溝７４にも毛細管現象が働き、注入される油ＯＬを確実に溝７４に留めることができる。
【００７３】
なお、溝７４の形成数は、本実施形態では４つであるが、これに限定されず、例えば、１つ、２つ、３つまたは５つ以上であってもよい。
【００７４】
＜第４実施形態＞
図１０は、本発明の時計（第４実施形態）が備える本発明のムーブメントの一部を裏側から見た斜視図である。図１１は、図１０中のＦ−Ｆ線断面図である。
【００７５】
以下、これらの図を参照して本発明の時計用部品、ムーブメントおよび時計の第４実施形態について説明するが、前述した実施形態との相違点を中心に説明し、同様の事項はその説明を省略する。
本実施形態は、油保持部の構成が異なること以外は前記第３実施形態と同様である。
【００７６】
図１０、図１１に示すように、凹部７２の底部７２１には、貫通孔７３の周囲にさらに凹部７５が形成されている。凹部７５は、貫通孔７３に連通し、貫通孔７３よりも浅く形成されている。この凹部７５は、油ＯＬが油注入部５に注入されたときに当該油ＯＬの一部を保持する油保持部６として機能する。
【００７７】
そして、図１１に示すように、油保持部６として機能する凹部７５は、その底部７５１に粗面で構成された粗面部を有する、すなわち、底部７５１が梨地となっている。これにより、撥油処理を施されていても、油を油保持部に確実に留めることができる。また、油ＯＬの粘度にもよるが、例えば時計１を製造する過程でムーブメント１０に振動が加えられた場合でも、当該油ＯＬが油保持部６に確実に留まることができる。
なお、底部７５１での表面粗さとしては、特に限定されない。
【００７８】
＜第５実施形態＞
図１２は、本発明の時計（第５実施形態）が備える本発明のムーブメントの一部を裏側から見た斜視図である。図１３は、図１２中のＧ−Ｇ線断面図である。
【００７９】
以下、これらの図を参照して本発明の時計用部品、ムーブメントおよび時計の第５実施形態について説明するが、前述した実施形態との相違点を中心に説明し、同様の事項はその説明を省略する。
本実施形態は、油保持部の構成が異なること以外は前記第３実施形態と同様である。
【００８０】
図１２、図１３に示すように、凹部７２の底部７２１には、油保持部６として機能する凹部７６が貫通孔７３と同心的に形成されている。すなわち、凹部７６は、貫通孔７３の中心と同じ中心を有する環状の溝として形成されている。また、凹部７６と貫通孔７３とは連通していない。通常、注油対象の部品には油ＯＬが拡散しないように撥油処理を施すが、油保持部６と貫通孔７３とが連通している場合、油保持部６表面の撥油性と油注入部５の毛細管力により貫通孔７３に油ＯＬがすべて吸い込まれ油保持部６に保持されない可能性がある。しかし、このように形成された油保持部６では、凹部７６と貫通孔７３とは連通していないので、確実に油ＯＬを油保持部６に確実に留めることができる。また、凹部７６は貫通孔７３と中心が同じ中心を持つように形成されているため、貫通孔７３の周囲に均等に油ＯＬを保持させることができ、注油検査を行う際の視認性がよい。なお、凹部７６は全てがつながった円環状でなくてもよく、円環状の一部に切れ目を有していてもよい。また、円環の凹部７６の断面形状は、矩形でなくても、三角形でも欠円等でもよく、また円環は１重だけでなく複数の円環となっていてもよい。
【００８１】
また、油保持部６と貫通孔７３とが連通していないため、注油が行なわれたか否かを確認するためには、油保持部６と貫通孔７３の両方に注油する必要がある。この場合油保持部６と貫通孔７３との間や貫通孔７３の中心に、油保持部６と貫通孔７３の両方にかかる量の油を１回で注油することが効率化のために好ましい。そのため、注油方式としては、油の吐出位置と量とを制御しやすいインクジェット式注油が好ましい。
【００８２】
以上、本発明の時計用部品、ムーブメントおよび時計を図示の実施形態について説明したが、本発明は、これに限定されるものではなく、時計用部品、ムーブメントおよび時計を構成する各部は、同様の機能を発揮し得る任意の構成のものと置換することができる。また、任意の構成物が付加されていてもよい。
【００８３】
また、本発明の時計用部品、ムーブメントおよび時計は、前記各実施形態のうちの、任意の２以上の構成（特徴）を組み合わせたものであってもよい。
【００８４】
また、本発明の時計用部品が適用されるものとしては、前記第１実施形態では地板、前記第２実施形態ではクリックばね、前記第３実施形態〜前記第５実施形態では輪列受であったが、これらに部品に限定されないのは言うまでもない。
【００８５】
また、油保持部は、プラズマ処理等のような親油性を有する処理が施されてもよい。
また、注油後にその注油が行なわれたか否かの確認は、前記各実施形態では作業者の目視により行なわれているが、これに限定されず、画像を撮像する撮像装置を用いて行なわれてもよい。
【符号の説明】
【００８６】
１…時計、２…クリックばね、２１…基部、２１１…貫通孔、２１２…内周面、２２…アーム部、２２１…溝、２２２…溝、２２３…溝、２３…アーム部、２４…裏面、２４１…凹部、３…地板、３１…円盤部、３２…軸、３２１…外周面、３２２…溝（凹部）、３３…軸、４…オシドリ、４１…貫通孔、４２…係合部、４３…係合部、５…油注入部、６…油保持部、７…輪列受、７１…裏面、７２…凹部、７２１…底部、７３…貫通孔、７３１…内周面、７４…溝（凹部）、７５…凹部、７５１…底部、７６…凹部、９１…ボタン電池設置部、９２…巻真、９２１…縮径部、９３…モーターコイル、９４…モーターコイル、９５…歯車群、９５１…歯車（番車）、９５２…軸、９５３…外周面、９６…電波受信用アンテナ、１０…ムーブメント、１０１…時針、１０２…分針、１０３…秒針、１１…胴（ケース）、１２…りゅうず、１３…裏蓋、１４…文字板、１５…カバーガラス（風防）、１６…バンド、１７…ボタン電池、ＯＬ…油
【図１】
2017181176.tif 000003
【図２】
2017181176.tif 000004
【図３】
2017181176.tif 000005
【図４】
2017181176.tif 000006
【図５】
2017181176.tif 000007
【図６】
2017181176.tif 000008
【図７】
2017181176.tif 000009
【図８】
2017181176.tif 000010
【図９】
2017181176.tif 000011
【図１０】
2017181176.tif 000012
【図１１】
2017181176.tif 000013
【図１２】
2017181176.tif 000014
【図１３】
2017181176.tif 000015